(57)【要約】  ピロー包装袋（１０）に流動物を充填封入した内容物入り包装袋（１）であって、ピロー包装袋（１０）の上端に配置された横シール（２２）は段差状に形成された突出部（２３）と後退部（２４）を有し、ピロー包装袋（１０）の背面に配置された背中シール（２１）は後退部（２４）のみに連結され、突出部（２３）を横方向に切り取って、流動物（５）を押し出す。背中シール（２１）は、後退部（２４）に対して折り重ねられる。突出部（２３）と後退部（２４）を繋ぐ内側縁部に切断用ノッチ（２６）が設けられる。
2018198875.tif 000002
【特許請求の範囲】
【請求項１】
ピロー包装袋に流動物を充填封入した内容物入り包装袋であって、
前記ピロー包装袋の上端に配置された横シールは、段差状に形成された突出部と後退部を有し、
前記ピロー包装袋の背面に配置された背中シールは、前記後退部のみに連結され、
前記突出部を横方向に切り取って、前記流動物を押し出すことを特徴とする内容物入り包装袋。
【請求項２】
前記背中シールは、前記後退部に対して折り重ねられることを特徴とする請求項１に記載の内容物入り包装袋。
【請求項３】
前記突出部と前記後退部を繋ぐ内側縁部に切断用ノッチが設けられることを特徴とする請求項１または２に記載の内容物入り包装袋。
【請求項４】
前記後退部は、前記突出部から離れる方向に向かって傾斜することを特徴とする請求項１から３のうちいずれか一項に記載の内容物入り包装袋。
【請求項５】
前記ピロー包装袋の隅部に角立ち防止部が設けられることを特徴とする請求項１から４のうちいずれか一項に記載の内容物入り包装袋。
【請求項６】
前記流動物は、ゲル状菓子であることを特徴とする請求項１から５のうちいずれか一項に記載の内容物入り包装袋。
【請求項７】
前記ゲル状菓子は、こんにゃく入りゼリーであることを特徴とする請求項６に記載の内容物入り包装袋。
【請求項８】
前記ピロー包装袋は、横切性に優れた包装用フィルムにより形成されることを特徴とする請求項１から７のうちいずれか一項に記載の内容物入り包装袋。
【発明の詳細な説明】
【技術分野】
【０００１】
この発明は、液体または流動体が充填された内容物入りピロー包装袋に関する。
【背景技術】
【０００２】
ピロー包装袋は、一枚のフィルムを背中合わせに熱溶着（背中シール）して筒状にした後に、一定間隔で横方向に熱溶着（横シール）して切断した枕形状の袋である。ピロー包装袋は、合掌貼り袋や背貼り袋とも呼ばれ、食品の自動包装に用いられることが多い。【０００３】
一口サイズのこんにゃく入りゼリーには、カップではなく、袋に封入されたものが知られている。このような袋入りゼリー食品は、持ち易く、開封した袋からゼリーを簡単に押し出すことができる。
【先行技術文献】
【特許文献】
【０００４】
【特許文献１】特開２０１５−２２３１６６号公報
【特許文献２】特開２０１０−２１３６９０号公報
【特許文献３】特許第５３７６４６３号公報
【発明の概要】
【発明が解決しようとする課題】
【０００５】
袋入りゼリー食品では、ゼリーが袋から簡単に押し出される。このため、消費者は、横シールの一部を切断した開封口を口にくわえて、ゼリーを直接口に入れることが多い。
しかし、開封口がきれいにカットされないと、開封口が唇に触れると不快に感じてしまう。特に、ピロー包装袋を用いたゼリー食品では、背中シールが開封口の近くに配置されているため、背中シールが唇に刺さって不快に感じてしまう。【０００６】
図６は、従来のゼリー食品５１を示す図である。図７は、従来のゼリー食品５１において、こんにゃく入りゼリー５５を押し出した状態を示す図である。
従来の袋入りゼリー食品５１では、横シール７２を切断して開封口６８を形成するときに、開封口６８が背中シール７１に引っ掛かる。開封口６８が背中シール７１に引っ掛かると、開封口６８が必要以上に大きくなったり、逆に開封口６８が十分に開口しなかったりするという問題が頻発する。【０００７】
背中シール７１は横方向に引き裂きづらいため、開封口６８を形成するとき、消費者が強い力を加えてしまう。このため、図６に示すように、背中シール７１を切断した途端、開封口６８が横方向に沿って進行しないことが非常に多い。
図６（ａ）の様に、開封口６８が中央側に向かって進行すると、包装袋６０が大きく切り取られて、開封口６８が必要以上に大きくなる。このため、図７（ａ）の様に、こんにゃく入りゼリー５５がこぼれたり、飛び出したりする。
一方、図６（ｂ）の様に、開封口６８が上端に向かって進行すると、包装袋６０が小さく千切れて、開封口６８が小さくなり十分に開口しない。このため、図７（ｂ）の様に、包装袋６０を押してもこんにゃく入りゼリー５５が良好に押し出されない。【０００８】
また、開封口６８を横方向に沿って直線状に形成できたときであっても、背中シール７１を横方向に引き裂いた途端、こんにゃく入りゼリー５５が飛び出してしまうという問題も頻発する。
消費者が強い力を加えて背中シール７１を引き裂き、勢い余って包装袋６０を引き千切るからである。このため、開封口６８から勢いよくこんにゃく入りゼリー５５が飛び出してしまう。【０００９】
特許文献３に記載された包装製品の様に、開封用ノッチを背中シールに配置した場合においても、開封時に消費者が強い力を加えてしまう。このため、開封口が適切に形成されずに、内容物がこぼれたり、包装袋を押しても内容物が良好に押し出されないという問題が発生する。【００１０】
ところが、ピロー包装袋を用いたゼリー食品では、消費者が開封口を口にくわえたときに不快に感じないものや、開封口を適切に形成できるものは提案されていない。【００１１】
本発明は、このような問題点に鑑みてなされたものであって、開封口を口にくわえたときに消費者に不快感を与えづらい内容物入りピロー包装袋を提案することを目的としている。
本発明は、横シールを切断して開封口を形成するときに、開封口が背中シールに引っ掛からずに、適切に形成される内容物入りピロー包装袋を提案することを目的としている。
【課題を解決するための手段】
【００１２】
本発明の第一実施態様に係る内容物入りピロー包装袋は、ピロー包装袋に流動物を充填封入した内容物入り包装袋であって、前記ピロー包装袋の上端に配置された横シールは、段差状に形成された突出部と後退部を有し、前記ピロー包装袋の背面に配置された背中シールは、前記後退部のみに連結され、前記突出部を横方向に切り取って、前記流動物を押し出すことを特徴とする。【００１３】
本発明の第二実施態様に係る内容物入りピロー包装袋は、第一実施態様において、前記背中シールは、前記後退部に対して折り重ねられることを特徴とする。【００１４】
本発明の第三実施態様に係る内容物入りピロー包装袋は、第一または第三実施態様において、前記突出部と前記後退部を繋ぐ内側縁部に切断用ノッチが設けられることを特徴とする。【００１５】
本発明の第四実施態様に係る内容物入りピロー包装袋は、第一から第三実施態様のいずれかにおいて、前記後退部は、前記突出部から離れる方向に向かって傾斜することを特徴とする。【００１６】
本発明の第五実施態様に係る内容物入りピロー包装袋は、第一から第四実施態様のいずれかにおいて、前記ピロー包装袋の隅部に角立ち防止部が設けられることを特徴とする。【００１７】
本発明の第六実施態様に係る内容物入りピロー包装袋は、第一から第五実施態様のいずれかにおいて、前記流動物は、ゲル状菓子であることを特徴とする。【００１８】
本発明の第七実施態様に係る内容物入りピロー包装袋は、第六実施態様において、前記ゲル状菓子は、こんにゃく入りゼリーであることを特徴とする。【００１９】
本発明の第八実施態様に係る内容物入りピロー包装袋は、第一から第七六実施態様のいずれかにおいて、前記ピロー包装袋は、横切性に優れた包装用フィルムにより形成されることを特徴とする。
【発明の効果】
【００２０】
本発明の内容物入りピロー包装袋は、背面に配置された背中シールが横シールの後退部にのみ連結される。このため、横シールの突出部には、きれいな開封口が形成されやすくなる。したがって、ピロー包装袋の開封口を口にくわえたときに、消費者に不快感を与えづらい。
【図面の簡単な説明】
【００２１】
【図１】本発明の第一実施形態に係る袋入りゼリー食品１を示す図であって、（a）正面図、（ｂ）裏面図である。
【図２】袋入りゼリー食品１を示す図であって、（a）平面図、（ｂ）底面図、（ｃ）左側面図である。
【図３】突出部２３を切り取って、こんにゃく入りゼリー５を押し出した状態を示す図である。
【図４】本発明の第二実施形態に係る袋入りゼリー食品２を示す図であって、（a）正面図、（ｂ）裏面図である。
【図５】袋入りゼリー食品２を示す図であって、（a）平面図、（ｂ）底面図、（ｃ）左側面図である。
【図６】従来の袋入りゼリー食品５１を示す図である。
【図７】従来の袋入りゼリー食品５１において、こんにゃく入りゼリー５５を押し出した状態を示す図である。
【発明を実施するための形態】
【００２２】
〔第一実施形態〕
本発明の第一実施形態に係る袋入りゼリー食品１について説明する。
図１は、本発明の第一実施形態に係る袋入りゼリー食品１を示す図であって、（a）正面図、（ｂ）裏面図である。図１（ｂ）においてハッチングを付した部位は、熱シール（熱溶着）された部位を示す。
図２は、袋入りゼリー食品１を示す図であって、（a）平面図、（ｂ）底面図、（ｃ）左側面図である。
【００２３】
袋入りゼリー食品１において、背中シール２１が延びる方向を「縦方向」と呼ぶ。縦方向のうち、開封口１８が形成される突出部２３側を「上側」、開封口１８が形成されない端部側を「下側」という。言い換えると、下側は、突出部２３から離れる方向である。
縦方向に直交する方向のうち、袋入りゼリー食品１の幅方向を「横方向」という。正面から見たときに、横方向のうち、開封口１８が形成される突出部２３側を「右側」、後退部２４側を「左側」という。
縦方向に直交する方向のうち、袋入りゼリー食品１の厚み方向を「表裏方向」という。表裏方向のうち、背中シール２１のない面側を「表面側」、背中シール２１が形成された面側を「裏面側」という。
【００２４】
袋入りゼリー食品（内容物入り包装袋）１は、樹脂製のフィルムから作られた包装袋１０と、包装袋１０に充填封入されたこんにゃく入りゼリー５と、を備える。
【００２５】
こんにゃく入りゼリー（流動物、ゲル状菓子）５は、通常のゼリーと同様に、ゲル化剤などを含有するゼリー溶液をゲル化剤の作用によって固化させて作られる。
こんにゃく入りゼリー５は、ゼリー溶液にこんにゃく精粉が含まれる点に特徴がある。こんにゃく入りゼリー５は、少なくともゲル化剤およびこんにゃく精粉を含有していれば、任意の材料をさらに含有してもよい。こんにゃく入りゼリー５は、こんにゃく精粉を含有することにより、弾力性の高い独特の歯ごたえを有する。
【００２６】
包装袋（ピロー包装袋）１０は、いわゆるピロー包装袋であって、縦方向の両端と背面の中央に熱シールが形成された袋体である。すなわち、包装袋１０は、一枚のフィルムの両側端同士を熱溶着して筒状にし、さらに筒状になったフィルムの上端と下端を熱溶着して形成される。
【００２７】
包装袋１０は、収容部１２、背中シール２１、横シール２２，２７を備える。
収容部１２は、一枚のフィルムのうち、熱溶着されていない非シール部であって、こんにゃく入りゼリー５が充填封入される部位である。
背中シール２１は、包装袋１０の背面の中央において縦方向のほぼ全域に亘って形成される。背中シール２１は、縦シールまたはセンターシールとも呼ばれる。
横シール２２は、上端において横方向の全域に亘って形成される。横シール２７は、下端において横方向の全域に亘って形成される。
【００２８】
背中シール２１は、包装袋１０のほぼ中央に形成される。背面から見ると、背中シール２１は、右側に折り畳まれる。背中シール２１の上端と下端は、横シール２２，２７に重ねられる。背中シール２１の上端は、横シール２２の後退部２４に対して折り重ねられる。つまり、背中シール２１は、後退部２４のみに連結する。
【００２９】
横シール２２は、一方（正面から見て右側）が縦方向に突出し、他方（正面から見て左側）が縦方向に後退する段差状に形成される。言い換えれば、横シール２２は、いわゆるクランク道路（桝形道路）状に形成される。つまり、横シール２２は、直角に曲がる道路が二つ交互に繋がっている形状を有する。
具体的には、正面から見て、横シール２２の右側に突出部２３が配置され、左側に後退部２４が配置され、中央よりも右側に連結部（内側縁部）２５が配置される。
突出部２３と後退部２４は、横方向に沿う。連結部２５は、縦方向に沿って、突出部２３の左端と後退部２４の右端を連結する。連結部２５は、包装袋１０の内側縁となる。
突出部２３、後退部２４および連結部２５は、ほぼ同一の幅寸法（シール幅）に形成される。
【００３０】
横シール２２が段差状に形成されることにより、収容部１２の上部も段差状に形成される。つまり、収容部１２の上部は、横シール２２に沿う形状になる。これにより、収容部１２は、後退部２４よりも下方に位置する主収容部１３と、突出部２３の下方に位置して主収容部１３に連通する狭小収容部１４と、を有する。
連結部２５が包装袋１０の中央よりも右側に配置されるため、狭小収容部１４の横方向の長さは、包装袋１０の幅の１／３程度になる。
【００３１】
連結部２５には、包装袋１０を開封するための切断用ノッチ２６が設けられる。切断用ノッチ２６は、連結部２５に形成されたＶ字形の切り込みであって、包装袋１０の引き裂きを補助するために設けられる。すなわち、切断用ノッチ２６は、連結部２５から狭小収容部１４を横切って、包装袋１０の側縁に至る開封口１８を形成するために設けられる。切断用ノッチ２６を利用して、包装袋１０を引き裂くことによって、包装袋１０の上部に開封口１８が形成される。これにより、突出部２３は、包装袋１０から切り取られるプルタブになる。
【００３２】
収容部１２の隅部には、収容緩衝部１６が設けられる。収容緩衝部（隅部、角立ち防止部）１６は、横シール２２（後退部２４）の左隅と横シール２７の両隅を縦方向に凹ませて、収容部１２を拡張した部位である。
収容緩衝部１６を設けることにより、いわゆる角立ちを防止できる。これにより、複数の袋入りゼリー食品１を袋や箱に詰め込んだときに、包装袋１０の角立ちが、隣接する他の包装袋１０に刺さってピンホールを発生させることを防止できる。
【００３３】
収容緩衝部１６により角立ちを防止できる理由は、以下の通りである。
通常、横シールを形成するための横シール形成装置を備えたピロー包装機では、加熱されたヒートシールバー（横シールバー）を、ピロー包装袋の正面側に配している。そして、ピロー包装袋の横シールは、このヒートシールバーによってフィルムの所定部位を横方向に押圧されて正面側と裏面側のフィルム同士がヒートシールされることで形成される。
このとき、加熱を受けた横シール正面側は、冷却されると裏面側に比べて収縮し易い。そのため、従来のピロー包装袋では、横シールと収容部との境界線を軸にして、横シールが正面側に倒れこむ現象が発生する。これにより、シール幅が一定である従来の横シールでは、角立ち部がより鋭角となり易い。
【００３４】
これに対して、包装袋１０では、収容部１２の隅部を拡張した収容緩衝部１６が、横シール２２（後退部２４），２７にそれぞれ設けられている。そして、収容緩衝部１６にこんにゃく入りゼリー５が充填されることで、隅部を柱状に支える。このため、隅部での倒れ込みによる鋭角な角立ち部の形成が抑止される。
したがって、包装袋１０の収容部１２にこんにゃく入りゼリー５を密封充填して、袋入りゼリー食品１を製造した状態で、互いに隣接する包装袋１０同士の突き刺しや擦過傷によるピンホールの形成が抑制される。
【００３５】
収容緩衝部１６は、横シール２２，２７と収容部１２の境界線において、収容部１２の中央部と両側端部との間に段差を形成し、かつ、収容部１２が横シール２２，２７に食い込むように設けられていることが重要である。
この結果、横シール２２，２７のシール幅は、中央部では広く、両側端では狭くなる。収容緩衝部１６の寸法や数等は、フィルムの伸びや引っ張り強度等の特性や、包装袋１０の大きさや内容物の充填量等に応じて、適宜選択される。
【００３６】
袋入りゼリー食品１は、例えば以下のようにして製造される。
まず、通常のこんにゃく入りゼリーを作る場合と同様、ゲル化剤およびこんにゃく粉を含有させたこんにゃく入りゼリー溶液を調製する。こんにゃく入りゼリー溶液には、ゲル化剤およびこんにゃく粉の他に、糖類、果汁、香料、酸味料、着色料などを、必要に応じて加えることができる。
【００３７】
次いで、調製したこんにゃく入りゼリー溶液を加熱殺菌する。加熱殺菌は、例えば、チューブ式の加熱殺菌装置を用いるなど、任意の方法で行なうことができる。殺菌条件は、例えば、１２０〜１４０℃、約３分とすることができる。
【００３８】
殺菌が終了したこんにゃく入りゼリー溶液は、冷却装置により約６０〜７０℃まで冷却されて、適宜の充填包装機を用いて充填包装される。充填包装は、殺菌した内容物および殺菌した包装材を用いて無菌環境下で包装を行なう無菌充填包装であることが好ましい。
【００３９】
充填包装の後、包装されたこんにゃく入りゼリー溶液を２５℃以下まで冷却して固化させる。これによって、こんにゃく入りゼリー５が包装袋１０に充填封入された袋入りゼリー食品１が得られる。この袋入りゼリー食品１は、こんにゃく入りゼリー５が包装袋１０で固化されているので、こんにゃく入りゼリー５が収容部１２の形状とほぼ等しい形状の一つの塊となって存在している。
【００４０】
図３は、突出部２３を切り取って、こんにゃく入りゼリー５を押し出した状態を示す図である。
袋入りゼリー食品１において、包装袋１０に封入されたこんにゃく入りゼリー５は、以下のようにして食べられる。
消費者は、まず、切断用ノッチ２６を利用して包装袋１０の上部を横方向に引き裂く。これにより、包装袋１０は狭小収容部１４で開封され、狭小収容部１４の横方向全域にわたる開封口１８が形成される。
【００４１】
次いで、消費者は、包装袋１０の下部を押し潰す。包装袋１０の下部が押し潰されると、包装袋１０に封入されているこんにゃく入りゼリー５には包装袋１０の下部から上部へ向かう力が作用し、こんにゃく入りゼリー５は開封口１８から押し出される。
【００４２】
このとき、開封口１８は、狭小収容部１４のみに形成されているので、こんにゃく入りゼリー５の上部へ向かう移動は、横シール２２の後退部２４によって堰き止められる。つまり、後退部２４は、包装袋１０の下部を押し潰したとき、こんにゃく入りゼリー５の上部への移動を抑制する移動抑制構造として機能する。
【００４３】
包装袋１０の中では、こんにゃく入りゼリー５は一つの塊となって存在しており、また、こんにゃく入りゼリー５はこんにゃく由来の独特の弾力性を有している。このため、こんにゃく入りゼリー５は、一部が狭小収容部１４に向かって圧縮され、残りの部分が狭小収容部１４と後退部２４との境界で引きちぎられながら開封口１８から押し出される。こんにゃく入りゼリー５は、主収容部１３では一つの塊のままであるため、一部が包装袋１０から分離することなく開封口１８から押し出される。
【００４４】
その結果、開封された包装袋１０を強く押し潰しても、こんにゃく入りゼリー５の一部が開封口１８から押し出されるものの、開封口１８から飛び散ることはない。こんにゃく入りゼリー５の残りの部分が後退部２４によって堰き止められてアンカーの役割を果たすからである。
【００４５】
後退部２４は、上部へ向かうこんにゃく入りゼリー５の移動を堰き止めるが、それ以外の方向への移動を制限しない。このため、包装袋１０のこんにゃく入りゼリー５が残り少なくなってきたとき、後退部２４の近傍にあるこんにゃく入りゼリー５は、狭小収容部１４（開封口１８）に向かって移動できる。最終的には、収容部１２から全てのこんにゃく入りゼリー５を押し出すことができる。
【００４６】
開封口１８から押し出されたこんにゃく入りゼリー５を食べるためには、歯で噛み切る必要がある。このため、包装袋１０から押し出されたこんにゃく入りゼリー５がそのまま口の中に飛び込んで喉に詰まることを確実に防止することができる。しかも、包装袋１０から押し出されたこんにゃく入りゼリー５を噛み切る必要があるため、こんにゃく入りゼリー独特の歯ごたえを満喫することができる。
【００４７】
消費者は、開封口１８から押し出されたこんにゃく入りゼリー５を食べるとき、包装袋１０の上部を口にくわえることが多い。つまり、消費者は、狭小収容部１４（開封口１８）を唇で挟む。
このとき、消費者の唇に開封口１８が当たるため、開封口１８がギザギザになったり、背中シール２１の角部が唇に触れたりすると、不快に感じてしまう。
【００４８】
包装袋１０では、背中シール２１が横シール２２の後退部２４に対して折り重ねられているため、開封口１８に背中シール２１が含まれない。つまり、切断用ノッチ２６は連結部２５のみに形成され、連結部２５のみを切り裂いているので、開封口１８がギザギザになったりしない。したがって、袋入りゼリー食品１は、消費者に不快感を与えることを防止できる。
【００４９】
また、背中シール２１が横シール２２の後退部２４に対して折り重ねられているため、開封口１８を形成（突出部２３を切断）するときに、開封口１８が背中シール２１に到達しない（引っ掛からない）。このため、開封口１８が適切に形成される。言い換えると、開封口１８が必要以上に大きくなったり、逆に開封口１８が十分に開口しなかったりすることが回避できる。
したがって、こんにゃく入りゼリー５が開封口１８からこぼれたり、飛び出したりするという問題、または包装袋１０を押してもこんにゃく入りゼリー５が押し出されないという問題は発生しない。
【００５０】
以上説明したように、袋入りゼリー食品１は、背中シール２１が横シール２２の後退部２４にのみ連結される。このため、横シール２２の突出部２３には、きれいな開封口１８が形成されやすくなる。したがって、包装袋１０の開封口１８を口にくわえたときに、消費者に不快感を与えづらい。
また、開封口１８が背中シール２１に引っ掛からないので、開封口１８が適切に形成される。したがって、適量のこんにゃく入りゼリー５が開封口１８から押し出される。
【００５１】
〔第二実施形態〕
本発明の第二実施形態に係る袋入りゼリー食品２について説明する。
なお、第一実施形態に係る袋入りゼリー食品１と同一の部位については、同一の符号を付して、その説明を省略する。
【００５２】
図４は、本発明の第二実施形態に係る袋入りゼリー食品２を示す図であって、（a）正面図、（ｂ）裏面図である。図４（ｂ）においてハッチングを付した部位は、熱シール（熱溶着）された部位を示す。
図５は、袋入りゼリー食品２を示す図であって、（a）平面図、（ｂ）底面図、（ｃ）左側面図である。
【００５３】
袋入りゼリー食品（内容物入り包装袋）２は、後退部３４の形状が、袋入りゼリー食品１とは異なる。
具体的には、正面から見て、横シール２２の右側に突出部２３が配置され、左側に後退部３４が配置され、中央よりも右側に連結部（内側縁部）２５が配置される。
突出部２３は、横方向に沿う。後退部３４は、斜め下側に向かって延びる。後退部３４は、横方向に対して、下側に緩やかな角度で傾斜する。より詳細には、後退部３４の中央よりも右側は、横方向に対して約４０°の角度で傾斜する。後退部３４の中央から左側は、横方向に対して約１５°の角度で傾斜する。
連結部２５は、縦方向に沿って、突出部２３の左端と後退部３４の右端を連結する。突出部２３、後退部３４および連結部２５は、ほぼ同一の幅寸法（シール幅）に形成される。
【００５４】
袋入りゼリー食品２は、袋入りゼリー食品１と同様に、背中シール２１が横シール２２の後退部２４にのみ連結される。このため、横シール２２の突出部２３には、きれいな開封口１８が形成されやすくなる。したがって、包装袋１０の開封口１８を口にくわえたときに、消費者に不快感を与えづらい。
また、開封口１８が背中シール２１に引っ掛からないので、開封口１８が適切に形成される。したがって、適量のこんにゃく入りゼリー５が開封口１８から押し出される。
【００５５】
特に、袋入りゼリー食品２は、後退部３４が斜め下側に傾斜する。このため、包装袋１０の開封口１８を口にくわえたときに、さらに消費者に不快感を与えづらい。
また、後退部３４は、二段階に傾斜する。つまり、中央よりも右側が斜め下側に大きく後退し、中央よりも左側が緩やかに後退する。このため、突出部２３と後退部３４の縦方向の距離が大きくなる。これにより、突出部２３を切断して開封口１８を形成するときに、突出部２３と後退部３４を把持しやすくなる。したがって、突出部２３を切断するときに、消費者が力の調整をしやすく、開封口１８を適切に形成できる。
【００５６】
本発明は、上述した実施形態に限定されるものではなく、本発明の趣旨を逸脱しない範囲において、上述した実施形態に種々の変更を加えたものを含む。実施形態で挙げた具体的な形状や構成等は一例にすぎず、適宜変更が可能である。
【００５７】
例えば、上述した実施形態においては、包装袋１０が略正方形の場合を示したが、包装袋１０の縦横の長さは任意である。例えば、包装袋１０が縦長（縦方向の長さが横方向の長さよりも長い）であってもよい。
【００５８】
袋入りゼリー食品１は、内容物がこんにゃく入りゼリー５の場合に限らない。寒天やゼラチン等であってもよい。また、固体に限らず、飲料水（液体）であってもよい。また、内容物は、食品に限らず、医薬品等であってもよい。
すなわち、内容物は、包装袋１０の下部を押し潰したときに、開封口１８から押し出されるもの（流動物）であればよい。流動物は、マーガリン、ショートニング、チョコレートなどの半固形物も含まれる。
充填包装は、無菌充填包装に限らない。
【００５９】
切断用ノッチ２６は、Ｖ字形の切り込みに限らない。包装袋１０を引き裂く（突出部２３を切り取る）ことによって、包装袋１０の上部に開封口１８が形成される構造であればよい。例えば、ミシン目等の易開封加工であってもよい。
また、切断用ノッチ２６の大きさや切り込み深さ等は、任意に設定できる。
【００６０】
包装袋１０は、横切性（直進カット性）に優れた包装用フィルムを用いてもよい。つまり、包装袋１０を横方向に切りやすく、縦方向には切れにくいフィルムを用いる。
これにより、開封口１８が横方向に沿って良好に形成される。開封口１８が必要以上に大きくなったり、逆に開封口１８が十分に開口しなかったりすることを防止できる。
横切性（直進カット性）に優れた包装用フィルムは、例えば、東レ株式会社「ＹＴ４２トレファン」、デンカ株式会社「カラリヤンＹ」等が挙げられる。
【００６１】
収容緩衝部１６は、横シール２２（突出部２３）の右隅に設けてもよい。
収容部１２に収容緩衝部１６が設けられない場合であってもよい。
【符号の説明】
【００６２】
１，２  袋入りゼリー食品（内容物入り包装袋）    ５  こんにゃく入りゼリー（流動物、ゲル状菓子）    １０  包装袋（ピロー包装袋）    １２  収容部    １３  主収容部    １４  狭小収容部    １６  収容緩衝部（角立ち防止部）    １８  開封口  ２１  背中シール    ２２  横シール    ２３  突出部    ２４  後退部    ２５  連結部（内側縁部）    ２６  切断用ノッチ    ２７  横シール    ３４  後退部    
【図１】
2018198875.tif 000003
【図２】
2018198875.tif 000004
【図３】
2018198875.tif 000005
【図４】
2018198875.tif 000006
【図５】
2018198875.tif 000007
【図６】
2018198875.tif 000008
【図７】
2018198875.tif 000009
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
ピロー包装袋に流動物を充填封入した内容物入り包装袋であって、
前記ピロー包装袋の上端に配置された横シールは、段差状に形成された突出部と後退部を有し、
前記後退部は、前記突出部から離れる方向に対して傾斜して形成され、
前記ピロー包装袋の背面に配置された背中シールは、その上端が前記傾斜に沿う形状を有し、前記後退部のみに折り重ねられて連結され、
前記突出部を横方向に切り取って、前記流動物を押し出すことを特徴とする内容物入り包装袋。
【請求項２】
前記背中シールは、前記突出部から離れる方向に折り重ねられることを特徴とする請求項１に記載の内容物入り包装袋。
【請求項３】
前記突出部と前記後退部を繋ぐ内側縁部に切断用ノッチが設けられることを特徴とする請求項１または２に記載の内容物入り包装袋。
【請求項４】
前記ピロー包装袋の隅部に角立ち防止部が設けられることを特徴とする請求項１から３のうちいずれか一項に記載の内容物入り包装袋。
【請求項５】
前記流動物は、ゲル状菓子であることを特徴とする請求項１から４のうちいずれか一項に記載の内容物入り包装袋。
【請求項６】
前記ゲル状菓子は、こんにゃく入りゼリーであることを特徴とする請求項５に記載の内容物入り包装袋。
【請求項７】
前記ピロー包装袋は、横切性に優れた包装用フィルムにより形成されることを特徴とする請求項１から６のうちいずれか一項に記載の内容物入り包装袋。
【国際調査報告】
2018198875.tif 000010
2018198875.tif 000011
2018198875.tif 000012
2018198875.tif 000013